(57)【要約】    【課題】      制御局装置にて廃棄されるパケットデータを基地局装置から制御局装置へ送信することなく、基地局装置にて廃棄することにより、トラヒック量を抑制すること。    【解決手段】  バッファ１０２は、上りパケットデータを格納した時から所定の時間が経過した場合には、格納している上りパケットデータを出力せずに廃棄する。タイマ管理部１０６は、最大待ち時間の情報に基づいて、ＲＮＣへ送信しても廃棄されてしまう上りパケットデータを、ＲＮＣ１２２へ送信せずに廃棄するように指示する。整列バッファ１１２は、上りパケットデータの順序逆転を補正するとともに、最大待ち時間が経過した上りパケットデータを廃棄する。タイマ管理部１１３は、最大待ち時間を設定し、最大待ち時間が経過した上りパケットデータを廃棄するように整列バッファ１１２に対して指示する。  【選択図】      図１
2006128871.tif 000002
【特許請求の範囲】
【請求項１】
基地局装置から送信されたパケットデータを受信する受信手段と、
前記受信手段にて受信した前記パケットデータを一時的に蓄積するとともに蓄積した前記パケットデータの順番を正しい順番に並べる第一蓄積手段と、
前記第一蓄積手段にて正しい順番に並べられたパケットデータに対して所定のプロトコル処理を施すプロトコル処理手段と、
前記パケットデータが前記第一蓄積手段に蓄積されてから前記プロトコル処理手段にてプロトコル処理されずに廃棄されるまでの所定の時間である最大待ち時間を設定するタイマ管理手段と、
前記タイマ管理手段にて設定された前記最大待ち時間の情報を前記基地局装置へ通知する通知手段と、
を具備することを特徴とする制御局装置。
【請求項２】
前記タイマ管理手段は、前記基地局装置と同期しているタイマにて前記最大待ち時間を設定することを特徴とする請求項１記載の制御局装置。
【請求項３】
請求項１または請求項２記載の制御局装置と通信する基地局装置であって、
前記基地局装置は、
通信端末装置から送信されたパケットデータを受信する無線受信手段と、
前記無線受信手段にて受信した前記パケットデータを一時的に蓄積する第二蓄積手段と、
前記第二蓄積手段にて蓄積されているパケットデータを所定のタイミングにて前記制御局装置へ送信する送信手段と、
前記通知手段にて通知された前記最大待ち時間の情報より前記第二蓄積手段にて蓄積されているパケットデータの内で前記制御局装置へ送信しても廃棄されてしまうパケットデータを前記送信手段にて送信せずに廃棄させる廃棄手段と、
を具備することを特徴とする基地局装置。
【請求項４】
通信端末装置がパケットデータを基地局装置へ送信するステップと、
前記基地局装置が受信した前記パケットデータを前記基地局装置にて一時的に蓄積するステップと、
前記基地局装置が蓄積している前記パケットデータを所定のタイミングにて制御局装置へ送信するステップと、
前記制御局装置が受信した前記パケットデータを前記制御局装置にて一時的に蓄積するとともに蓄積した前記パケットデータの順番を正しい順番に並べるステップと、
正しい順番に並べられたパケットデータに対して所定のプロトコル処理を施すステップと、
前記パケットデータが蓄積されてから前記プロトコル処理されずに廃棄されるまでの所定の時間である最大待ち時間を設定するステップと、
設定された前記最大待ち時間の情報を前記制御局装置が前記基地局装置へ送信するステップと、
前記基地局装置が前記最大待ち時間の情報を前記制御局装置から受信するステップと、
前記基地局装置が受信した前記最大待ち時間の情報より、前記基地局装置にて蓄積されているパケットデータの内で前記制御局装置へ送信しても廃棄されてしまうパケットデータを前記制御局装置へ送信せずに前記基地局装置にて廃棄するステップと、
を具備することを特徴とするパケットデータ廃棄方法。
【発明の詳細な説明】
【技術分野】
【０００１】
本発明は、制御局装置、基地局装置及びパケットデータ廃棄方法に関し、例えばＷ−ＣＤＭＡ方式の高速なパケット伝送方式に適用する制御局装置、基地局装置及びパケットデータ廃棄方法に関する。
【背景技術】
【０００２】
Ｗ−ＣＤＭＡ方式の高速なパケット伝送方式として、ＨＳＵＰＡ（High Speed Uplink Packet Access）が規格化されている。ＨＳＵＰＡでは、ＨＡＲＱ（Hybrid Automatic Repeat reQuest）、無線基地局装置による通信先ユーザのスケジューリング等の方法を無線回線に適用することにより、移動端末から無線基地局装置への上り回線の高速化を実現する。また、無線基地局装置間、またはセクタ間ハンドオーバー時の通信の安定化および無瞬断化とともにシステム容量の増大を図るため、移動端末が複数の無線基地局装置に同一のパケットデータを送信して、無線ネットワーク制御装置で選択合成するソフトハンドオーバーを実施することが行われている。
【０００３】
従来、ＨＳＵＰＡ適用時には、無線区間（Ｕｕ）インタフェース上のＨＡＲＱや有線区間（Ｉｕｂ／Ｉｕｒ）インタフェース上のフロー制御、及びソフトハンドオーバーの実施によって生じるパケットデータの順序逆転を、ＲＮＣに配置したバッファにおいて補正している。
【０００４】
移動通信システムは、移動端末（以下「ＵＥ」と記載する）、無線基地局装置（以下「Ｎｏｄｅ  Ｂ」と記載する）、Ｎｏｄｅ  Ｂを制御する無線ネットワーク制御装置（以下「ＲＮＣ」と記載する）、ＵＥの位置管理、呼制御等を行なうコアネットワーク（以下「ＣＮ」と記載する）により構成される（例えば、非特許文献１）。図５は、移動通信システムの一例を示すものであり、ＣＮ１１を介してＲＮＣ１２とＲＮＣ１３が接続されている。また、ＲＮＣ１２は、Ｎｏｄｅ  Ｂ１４、Ｎｏｄｅ  Ｂ１５及びＮｏｄｅ  Ｂ１６と接続されており、ＲＮＣ１３は、Ｎｏｄｅ  Ｂ１７及びＮｏｄｅ  Ｂ１８と接続されている。また、Ｎｏｄｅ  Ｂ１４、Ｎｏｄｅ  Ｂ１５及びＮｏｄｅ  Ｂ１６の配下にはＵＥ１９が無線回線にて接続されている。ＵＥ１９は、Ｎｏｄｅ  Ｂ１４、Ｎｏｄｅ  Ｂ１５及びＮｏｄｅ  Ｂ１６に対して同一のパケットデータを送信してソフトハンドオーバーを実施している。
【０００５】
また、図６は、ＨＳＵＰＡ適用時のユーザプレーンのプロトコル構成の一例を示すものである（例えば、非特許文献２）。Ｎｏｄｅ  ＢとＵＥ間のＵｕインタフェース上のＭＡＣ−ｅ（Medium Access Control for enhanced Dedicated Channel）レイヤにおいてＨＡＲＱと、Ｎｏｄｅ  Ｂによるスケジューリングが実施される。また、Ｎｏｄｅ  ＢとＲＮＣ間のＥＤＣＨ  ＦＰレイヤでは上りデータフレームに対してフロー制御が実施される。
【非特許文献１】3GPP, TS25.401UTRAN overall description，V6.3.0
【非特許文献２】3GPP, TS25.309 FDD Enhanced Uplink Overall description Stage 2 V1.0.0
【発明の開示】
【発明が解決しようとする課題】
【０００６】
しかしながら、従来の装置においては、ＲＮＣとＮｏｄｅ  Ｂ間のフロー制御により、所定の時間が経過しているため、ＲＮＣのバッファより廃棄されることが確定しているパケットデータをＮｏｄｅ  Ｂのバッファで保持している場合が生じる。このとき、ＲＮＣのバッファとＮｏｄｅ  Ｂのバッファ間に連携機能がないため、Ｎｏｄｅ  Ｂは、ＲＮＣにて廃棄されることが確定しているパケットデータをＲＮＣに送信してしまい、トラヒック量を増加させてしまうという問題がある。
【０００７】
本発明はかかる点に鑑みてなされたものであり、制御局装置にて廃棄されるパケットデータを基地局装置から制御局装置へ送信することなく、基地局装置にて廃棄することにより、トラヒック量を抑制することができる制御局装置、基地局装置及びパケットデータ廃棄方法を提供することを目的とする。
【課題を解決するための手段】
【０００８】
本発明の制御局装置は、基地局装置から送信されたパケットデータを受信する受信手段と、前記受信手段にて受信した前記パケットデータを一時的に蓄積するとともに蓄積した前記パケットデータの順番を正しい順番に並べる第一蓄積手段と、前記第一蓄積手段にて正しい順番に並べられたパケットデータに対して所定のプロトコル処理を施すプロトコル処理手段と、前記パケットデータが前記第一蓄積手段に蓄積されてから前記プロトコル処理手段にてプロトコル処理されずに廃棄されるまでの所定の時間である最大待ち時間を設定するタイマ管理手段と、前記タイマ管理手段にて設定された前記最大待ち時間の情報を前記基地局装置へ通知する通知手段と、を具備する構成を採る。
【０００９】
本発明のパケットデータ廃棄方法は、通信端末装置がパケットデータを基地局装置へ送信するステップと、前記基地局装置が受信した前記パケットデータを前記基地局装置にて一時的に蓄積するステップと、前記基地局装置が蓄積している前記パケットデータを所定のタイミングにて制御局装置へ送信するステップと、前記制御局装置が受信した前記パケットデータを前記制御局装置にて一時的に蓄積するとともに蓄積した前記パケットデータの順番を正しい順番に並べるステップと、正しい順番に並べられたパケットデータに対して所定のプロトコル処理を施すステップと、前記パケットデータが蓄積されてから前記プロトコル処理されずに廃棄されるまでの所定の時間である最大待ち時間を設定するステップと、設定された前記最大待ち時間の情報を前記制御局装置が前記基地局装置へ送信するステップと、前記基地局装置が前記最大待ち時間の情報を前記制御局装置から受信するステップと、前記基地局装置が受信した前記最大待ち時間の情報より、前記基地局装置にて蓄積されているパケットデータの内で前記制御局装置へ送信しても廃棄されてしまうパケットデータを前記制御局装置へ送信せずに前記基地局装置にて廃棄するステップと、を具備するようにした。
【発明の効果】
【００１０】
本発明によれば、制御局装置にて廃棄されるパケットデータを基地局装置から制御局装置へ送信することなく、基地局装置にて廃棄することにより、トラヒック量を抑制することができる。
【発明を実施するための最良の形態】
【００１１】
以下、本発明の実施の形態について、図面を参照して詳細に説明する。
【００１２】
（実施の形態）
図１は、本発明の実施の形態に係る通信システム１００の構成を示すブロック図である。通信システム１００は、Ｎｏｄｅ  Ｂ１２１、ＲＮＣ１２２及びＣＮ１２３により構成される。なお、図１においては説明の都合上、ＵＥ、他のＲＮＣ及び他のＮｏｄｅ  Ｂの記載は省略する。
【００１３】
最初に、Ｎｏｄｅ  Ｂ１２１の構成について説明する。バッファ１０２、送信部１０３、受信部１０４、レート設定部１０５、タイマ管理部１０６及びバッファ１０７は、ＦＰ処理部１１９を構成する。
【００１４】
無線受信部１０１は、図示しないＵＥから無線にて送信された上りユーザデータであるパケットデータを受信し、受信した上りパケットデータの無線フレームをユーザフレームにするための無線処理を行ってバッファ１０２及びＭＡＣ−ｅ処理部１０８へ出力する。
【００１５】
第二蓄積手段であるバッファ１０２は、無線受信部１０１から入力した上りパケットデータを一時的に格納する。そして、バッファ１０２は、レート設定部１０５にて設定された伝送レート及び伝送タイミングで、格納している上りパケットデータを送信部１０３へ出力する。また、バッファ１０２は、タイマ管理部１０６の指示により、上りパケットデータを格納した時から所定の時間が経過した場合には、格納している上りパケットデータを送信部１０３へ出力せずに廃棄する。
【００１６】
送信部１０３は、バッファ１０２から入力した上りパケットデータに対してＦＰ処理を行ってユーザフレームからＦＰフレームに変換してＲＮＣ１２２の受信部１１０へ有線にて送信する。
【００１７】
受信部１０４は、ＲＮＣ１２２の送信部１１６から送信されて受信した下りパケットデータに対してＦＰ処理を行ってバッファ１０７へ出力する。また、受信部１０４は、送信部１１６から送信されて受信した伝送レートの情報をレート設定部１０５へ出力する。また、受信部１０４は、送信部１１６から送信されて受信した最大待ち時間（Reordering Release Timer）の情報をタイマ管理部１０６へ出力する。
【００１８】
レート設定部１０５は、受信部１０４から入力した伝送レートの情報に基づいて所定の伝送レート及び伝送タイミングを設定し、設定した伝送レート及び伝送タイミングにて上りパケットデータを出力するようにバッファ１０２に対して指示する。
【００１９】
廃棄手段であるタイマ管理部１０６は、受信部１０４から入力した最大待ち時間の情報に基づいて、ＲＮＣ１２２へ送信しても廃棄されてしまう上りパケットデータを、ＲＮＣ１２２へ送信せずに廃棄するように指示する。具体的には、タイマ管理部１０６は、後述するＲＮＣ１２２のタイマ管理部１１３のフレーム廃棄タイマと同期しているフレーム廃棄タイマを有し、最大待ち時間の情報にて指示された時間が経過した場合には、上りパケットデータを廃棄するようにバッファ１０２に対して指示する。なお、パケットデータを廃棄する方法については後述する。
【００２０】
バッファ１０７は、受信部１０４から入力した下りパケットデータを一時的に格納して、格納した下りパケットデータを所定のタイミングにて無線送信部１０９へ出力する。
【００２１】
ＭＡＣ−ｅ処理部１０８は、無線受信部１０１から入力した上りパケットデータに対してＨＡＲＱ及びスケジューリング等のＭＡＣ−ｅ処理を行う。具体的には、ＭＡＣ−ｅ処理部１０８は、無線受信部１０１から入力した上りパケットデータを復調するとともに、ＨＡＲＱ復号化及び誤り訂正を行う。また、ＭＡＣ−ｅ処理部１０８は、無線受信部１０１から入力した上りパケットデータが所望のタイミングで受信できている場合には受信成功を示すＡＣＫ信号を生成して無線送信部１０９へ出力し、無線受信部１０１から入力した上りパケットデータが所望のタイミングで受信できない場合には受信失敗を示すＮＡＣＫ信号を生成して無線送信部１０９へ出力する。また、ＭＡＣ−ｅ処理部１０８は、無線受信部１０１から入力した上りパケットデータから、各ＵＥにおける無線回線の回線品質を示す情報である回線品質情報を生成する。そして、ＭＡＣ−ｅ処理部１０８は、生成した複数のＵＥとの間の無線回線の回線品質情報に基づいて、各ＵＥの送信タイミング及び送信時に用いる変調方式等を決定し、決定した送信タイミングの情報及び変調方式の情報等を無線送信部１０９へ出力する。
【００２２】
無線送信部１０９は、バッファ１０７から入力した下りパケットデータを無線処理して図示しないＵＥへ無線にて送信する。また、無線送信部１０９は、ＭＡＣ−ｅ処理部１０８から入力した送信タイミングの情報及び変調方式の情報等、及びＡＣＫ信号またはＮＡＣＫ信号を無線処理して該当するＵＥへ無線にて送信する。
【００２３】
次に、ＲＮＣ１２２の構成について説明する。受信部１１０、選択合成部１１１、整列バッファ（Ｒｅｏｒｄｅｒｉｎｇバッファ）１１２、タイマ管理部１１３、バッファ１１４、レート制御部１１５及び送信部１１６は、ＦＰ処理部１２０を構成する。
【００２４】
受信部１１０は、送信部１０３から送信されて入力した上りパケットデータに対してＦＰ処理を行ってＦＰフレームからユーザフレームに変換して選択合成処理部１１１及びレート制御部１１５へ出力する。
【００２５】
選択合成処理部１１１は、受信部１１０から入力した複数のＮｏｄｅ  Ｂの上りパケットデータを選択合成して整列バッファ１１２へ出力する。
【００２６】
第一蓄積手段である整列バッファ１１２は、ＨＡＲＱによる異なる再送回数、Ｉｕｂ／Ｉｕｒインタフェース上のフロー制御による伝送遅延、及びソフトハンドオーバー適用時の複数のＮｏｄｅ  Ｂ間の異なる伝送遅延等によって生じる上りパケットデータの順序逆転を補正するものであり、選択合成処理部１１１から入力した上りパケットデータを一時的に格納するとともに、格納している上りパケットデータの順番を正しい順番に整列してＭＡＣ−ｄ処理部１１７へ出力する。また、整列バッファ１１２は、タイマ管理部１１３の指示により、上りパケットデータを格納した時から所定の時間が経過した場合には、格納している上りパケットデータをＭＡＣ−ｄ処理部１１７へ出力せずに廃棄する。
【００２７】
タイマ管理部１１３は、Ｎｏｄｅ  Ｂのタイマ管理部１０６のフレーム廃棄タイマと同期しているフレーム廃棄タイマを有している。そして、タイマ管理部１１３は、整列バッファ１１２に格納されている上りパケットデータが、格納されてからＭＡＣ−ｄ処理部１１７へ出力されるまでの許容される時間である最大待ち時間をフレーム廃棄タイマにて設定し、最大待ち時間が経過した上りパケットデータを廃棄するように整列バッファ１１２に対して指示する。また、タイマ管理部１１３は、最大待ち時間の情報を送信部１１６へ出力する。
【００２８】
バッファ１１４は、ＭＡＣ−ｄ処理部１１７から入力した下りパケットデータを一時的に格納し、格納している下りパケットデータを所定のタイミングにて送信部１１６へ出力する。
【００２９】
レート制御部１１５は、受信部１１０から入力した上りパケットデータより、ＲＮＣ１２２とＮｏｄｅ  Ｂ１２１間の有線伝送路上のトラヒック状態等を監視して、Ｎｏｄｅ  Ｂ１２１からＲＮＣ１２２に送信される上りパケットデータの伝送レートを設定する。そして、レート制御部１１５は、設定した伝送レートの情報を送信部１１６へ出力する。
【００３０】
送信部１１６は、バッファ１１４から入力した下りのパケットデータに対してＦＰ処理を行ってＦＰフレームを生成してＮｏｄｅ  Ｂ１２１の受信部１０４へ有線にて送信する。また、送信部１１６は、レート制御部１１５から入力した伝送レートの情報をＮｏｄｅ  Ｂ１２１の受信部１０４へ有線にて送信する。また、送信部１１６は、タイマ管理部１１３から入力した最大待ち時間の情報をＮｏｄｅ  Ｂ１２１の受信部１０４へ有線にて送信する。
【００３１】
ＭＡＣ−ｄ処理部１１７は、整列バッファ１１２から入力した上りパケットデータに対してＭＡＣ−ｄレイヤ処理を行ってＲＬＣ処理部１１８へ出力する。また、ＭＡＣ−ｄ処理部１１７は、ＲＬＣ処理部１１８から入力した下りパケットデータに対してＭＡＣ−ｄレイヤ処理を行ってバッファ１１４へ出力する。
【００３２】
ＲＬＣ処理部１１８は、再送制御等のＲＬＣ処理を行うものであり、ＭＡＣ−ｄ処理部１１７から入力した上りパケットデータに対してＲＬＣ処理を行ってＣＮ１２３へ有線にて送信するとともに、ＣＮ１２３から有線にて送信されて受信した下りパケットデータに対してＲＬＣ処理を行ってＭＡＣ−ｄ処理部１１７へ出力する。なお、ＲＬＣ処理およびＭＡＣ−ｄ処理の詳細については、3GPP，TS25.322 Radio Link Control (RLC) protocol specification, V6.1.0及び3GPP, TS25.321 Medium Access Control (MAC) protocol specification, V3.14.0に記載されている。
【００３３】
ＣＮ１２３は、ＲＮＣ１２２のＲＬＣ処理部１１８から送信されて受信した上りパケットデータを図示しない他のＲＬＣへ転送するとともに、他のＲＮＣから転送されてきた下りパケットデータをＲＬＣ処理部１１８へ送信する。また、ＣＮ１２３は、ＵＥの位置管理及び呼制御等を行う。
【００３４】
次に、Ｎｏｄｅ  Ｂ１２１及びＲＮＣ１２２の動作について、図２〜図４を用いて説明する。図２は、Ｎｏｄｅ  Ｂ１２１及びＲＮＣ１２２の動作を示すシーケンス図であり、図３は、ＲＮＣ１２２の動作を示すシーケンス図であるとともに、図４は、整列バッファ１１２の状態を示す図である。
【００３５】
ＲＮＣ１２２のタイマ管理部１１３は、最大待ち時間を起動する毎に整列バッファ１１２を監視するとともに最大待ち時間の設定値Ｔ１を設定して、最大待ち時間の設定値Ｔ１、設定対象のＴＳＮ（T1_TSN）、及び設定時のＣＦＮを情報要素とする最大待ち時間の情報を含む制御フレームをＮｏｄｅ  Ｂ１２１のタイマ管理部１０６へ送信する（ステップＳＴ２０１）。そして、制御フレームを受信したＮｏｄｅ  Ｂ１２１のタイマ管理部１０６はフレーム廃棄タイマを起動し、バッファ１０２を監視する。ここで、ＣＦＮとは、Ｎｏｄｅ  Ｂ１２１とＲＮＣ１２２が共通でカウントしているフレーム番号である。これにより、ＲＮＣ１２２とＮｏｄｅ  Ｂ１２１は、互いのフレーム廃棄タイマの同期を取ることができる。
【００３６】
Ｎｏｄｅ  Ｂ１２１のタイマ管理部１０６では、通知されたＴ１とＣＦＮに基づいて、（１）式を用いてバッファ１０２内のフレーム廃棄タイマを設定する。
【００３７】
フレーム廃棄タイマ＝Ｔ１−２×（ＲＮＣ１２２とＮｏｄｅ  Ｂ１２１間の伝送遅延）                                                                （１）
【００３８】
また、ＲＮＣ１２２とＮｏｄｅ  Ｂ１２１間の伝送遅延＃２１０は、（２）式より求めることができる。
【００３９】
ＲＮＣ１２２とＮｏｄｅ  Ｂ１２１間の伝送遅延＝（制御フレーム受信時のＮｏｄｅ  Ｂ１２１のＣＦＮ）−（制御フレームに設定されているＣＦＮ）        （２）
【００４０】
一方、整列バッファ１１２は、受信ウインドウサイズと最大待ち時間の設定値Ｔ１を変数として持つ。また、整列バッファ１１２は、次にＭＡＣ−ｄ処理部１１７へ転送すべきパケットデータのＴＳＮカウンタ値を示すnext_expected_TSN、受信ウインドウの上限のＴＳＮカウンタ値を示すRcｖWindow_UpperEdge、最大待ち時間の設定値Ｔ１の起動対象のＴＳＮカウンタ値を示すT1_TSNを状態変数として持つ。最大待ち時間の設定値Ｔ１の値はＨＡＲＱの最大再送回数、送信時間間隔（ＴＴＩ）、ＨＡＲＱのプロセス数、またはＩｕｂ／Ｉｕｒインタフェースの遅延等に基づいて設定される。
【００４１】
整列バッファ１１２において、パケットデータは、該当するＴＳＮカウンタ値の場所に格納される。例えば、図４より、受信ウインドウサイズ＃４０１が４であり、ＴＳＮカウンタ値＃４０２が「０」（TSN=0）のパケットデータが整列バッファ１１２に格納され、ＭＡＣ−ｄ処理部１１７へ転送されたとすると、整列バッファ１１２は、図４（ａ）の状態になる。この時、next_expected_TSN=1、RcｖWindow_UpperEdge=3となり、最大待ち時間の設定値Ｔ１は起動されない。
【００４２】
次に、ＲＮＣ１２２は、ＴＳＮカウンタ値が「３」（TSN=3）のパケットデータを受信すると、図３に示すように、next_expected_TSN＝１よりも大きいＴＳＮカウンタ値＃３５０が「３」のパケットデータ＃３３０を、選択合成処理部１１１から整列バッファ１１２に格納することにより（ステップＳＴ３０１）、最大待ち時間の設定値Ｔ１が起動してT1_TSN=3となり、整列バッファ１１２は、図４（ｂ）の状態になる。
【００４３】
次に、ＴＳＮカウンタ値＃３５１が「４」（TSN=４）のパケットデータ＃３３１を受信して選択合成処理部１１１から整列バッファ１１２に格納されることにより（ステップＳＴ３０２）、受信ウインドウ＃４０１が更新されてRcvWindow_UpperEdge=４となり、整列バッファ１１２は、図４（ｃ）の状態になる。
【００４４】
また、ＴＳＮカウンタ値＃３５２が「５」（TSN=5）のパケットデータ＃３３２を受信して選択合成処理部１１１から整列バッファ１１２に格納されることにより（ステップＳＴ３０３）、受信ウインドウ＃４０１が更新され、RcvWindow_UpperEdge=5となり、ＴＳＮカウンタ値「１」（TSN=1）が受信ウインドウ＃４０１から外れたため、next_expected_TSN=2となり、整列バッファ１１２は、図４（ｄ）の状態になる。その後、ＴＳＮカウンタ値が「２」（TSN=2）のパケットデータを受信できないと、ＴＳＮカウンタ値が「３」以降のパケットデータをＭＡＣ−ｄ処理部１１７へ転送できないためフレーム廃棄タイマが満了し、図３に示すように、格納済みのＴＳＮカウンタ値が「３」〜「５」（TSN=3〜5）のパケットデータ＃３３３、＃３３４、＃３３５はＭＡＣ−ｄ処理部１１７へ転送され（ステップＳＴ３０４、ステップＳＴ３０５、ステップＳＴ３０６）、next_expected_TSNは、T1_TSN=3以降で整列バッファ１１２に受信されていないパケットデータのnext_expected_TSN＝6となり、整列バッファ１１２は、図４（ｅ）の状態になる。
【００４５】
フレーム廃棄タイマが満了した場合、Ｎｏｄｅ  Ｂ１２１のタイマ管理部１０６は、バッファ１０２に対して、上りパケットデータの廃棄を指示する（ステップＳＴ２０２）。フレーム廃棄指示を受信したバッファ１０２は、格納している上りパケットデータのＴＳＮをチェックし、格納しているパケットデータの内、設定対象のＴＳＮ（T1_TSN）以下である全ての上りパケットデータを廃棄する。例えば、Ｎｏｄｅ  Ｂ１２１は、ＴＳＮカウンタ値が「２」のパケットデータをＲＮＣ１２２へ送信しようとしていた場合には、Ｎｏｄｅ  Ｂ１２１のタイマ管理部１０６は、ステップＳＴ２０１にて最大待ち時間の情報を受信しているため、最大待ち時間の設定値Ｔ１が満了したことを認識し、ＴＳＮカウンタ値が「２」のパケットデータは廃棄するようにバッファ１０２に対して指示する。その結果、ＴＳＮカウンタ値が「２」のパケットデータは、Ｎｏｄｅ  Ｂ１２１からＲＮＣ１２２へ送信されることはない。ここで、Ｎｏｄｅ  Ｂ１２１において、バッファ１０２へパケットデータの廃棄を通知するタイミングは、最大待ち時間の設定値Ｔ１よりＮｏｄｅ  Ｂ１２１からＲＮＣ１２２へパケットデータを送信する際のＲＮＣ１２２とＮｏｄｅ  Ｂ１２１間の伝送遅延＃２１２を減算した時間だけ、最大待ち時間の設定値を設定した時刻ｔ２５０から経過した時刻ｔ２５１である。なお、タイマ管理部１０６にてフレーム廃棄タイマを設定した時刻からバッファ１０２にフレーム廃棄を通知する時刻までの時間＃２１１は、最大待ち時間の設定値Ｔ１から、ＲＮＣ１２２とＮｏｄｅ  Ｂ１２１間の伝送遅延＃２１１及びＲＮＣ１２２とＮｏｄｅ  Ｂ１２１間の伝送遅延＃２１２を減算した時間になる。
【００４６】
次に、ＲＮＣ１２２は、ＴＳＮカウンタ値＃３５３が「７」（TSN=7）のパケットデータ＃３３６を受信して選択合成処理部１１１から整列バッファ１１２に格納することにより（ステップＳＴ３０７）、受信ウインドウ＃４０１は更新され、RcvWindow_UpperEdge=7となる。また、ＴＳＮカウンタ値＃３５３はnext_expected_TSN=6よりも大きいため、Ｔ１は起動され、T1_TSN=7となり、整列バッファ１１２は、図４（ｆ）の状態になる。整列バッファ１１２では上記の処理により、パケットデータの順序補正を実施している。
【００４７】
このように、本実施の形態によれば、制御局装置にて廃棄されるパケットデータを制御局装置へ送信せずに基地局装置にて廃棄するので、トラヒック量を抑制することができる。
【００４８】
なお、上記実施の形態において、ＣＦＮを用いて最大待ち時間を通知するようにしたが、これに限らず、ＣＦＮ以外の任意の方法により最大待ち時間を通知するようにしても良い。
【産業上の利用可能性】
【００４９】
本発明にかかる制御局装置、基地局装置及びパケットデータ廃棄方法は、例えばＷ−ＣＤＭＡ方式の高速なパケット伝送方式に適用するに好適である。
【図面の簡単な説明】
【００５０】
【図１】本発明の実施の形態に係る通信システムの構成を示すブロック図
【図２】本発明の実施の形態に係る基地局装置及び制御局装置の動作を示すシーケンス図
【図３】本発明の実施の形態に係る制御局装置の動作を示すシーケンス図
【図４】本発明の実施の形態に係る整列バッファの状態を示す図
【図５】移動通信システムの構成を示す模式図
【図６】ＨＳＵＰＡ適用時のユーザプレーンのプロトコル構成を示す図
【符号の説明】
【００５１】
１００  通信システム
１０１  無線受信部
１０２、１０７、１１４  バッファ
１０３、１１６  送信部
１０４、１１０  受信部
１０５  レート設定部
１０６、１１３  タイマ管理部
１０８  ＭＡＣ−ｅ処理部
１０９  無線送信部
１１１  選択合成処理部
１１２  整列バッファ
１１５  レート制御部
１１７  ＭＡＣ−ｄ処理部
１１８  ＲＬＣ処理部
１１９、１２０  ＦＰ処理部
１２１  無線基地局装置
１２２  無線ネットワーク制御装置
【図１】
2006128871.tif 000003
【図２】
2006128871.tif 000004
【図３】
2006128871.tif 000005
【図４】
2006128871.tif 000006
【図５】
2006128871.tif 000007
【図６】
2006128871.tif 000008